(57)【要約】【課題】  本発明は、瓦棒屋根においてソーラーパネルを設置するための基礎装置を経済的に提供することを目的とする。【解決手段】  中央の小凸起部２，左右両側の小凹部３，３及びその左右両外側の大凸起部４，４から成る基板１の左右両大凸起部の中央部に切欠部５，５を設け、前記基板の中央小凸起部の中央部に支持板６を突設し、冂形に成る取付枠材８の平面部８’の前後両側部に設けた曲折片９，９の中央部に設けた凹孔１０，１０に前記支持板の上端部を係合し、前記取付枠材の左右両側部の前後各端部に外側方に突設した開拡部１１，１１，１１，１１を基板の左右側大凸起部に当接し、取付枠材の左右両側部下端部に形成した弯形部１２，１２を基板の左右側大凸起部に設けた切欠部に配置し、取付枠材の左右両側部間に螺子１３，１４を螺装し、取付枠材の平面部中央に頭部を支持板上に当接して挿通する雄螺子１５を架設枠材に連結するものである。【選択図】    図１
2012127080.tif 000002
【特許請求の範囲】
【請求項１】
本発明は、正面視，中央の小凸起部，左右両側の小凹部及びその左右両外側の大凸起部から成る適当長さの基板の左右両大凸起部の中央部に切欠部を設け、前記基板の中央小凸起部の中央部に支持板を突設し、正面冂形に成る取付枠材の平面部の前後両側部に設けた曲折片の中央部に設けた凹孔に前記支持板の上端部を係合し、前記取付枠材の左右両側部の前後各端部に外側方に曲折突設した開拡部を前記基板の左右側大凸起部に当接するようにし、前記取付枠材の左右両側部下端部に形成した弯形部を前記基板の左右側大凸起部に設けた切欠部に配置するようにし、前記取付枠材の左右両側部間に螺子を懸架して螺装し、前記取付枠材の平面部中央に頭部を前記支持板上に当接して挿通する雄螺子をソーラーパネル用架設枠材の適所に連結して成ることを特徴とする瓦棒屋根におけるソーラーパネル設置用基礎装置。
【発明の詳細な説明】
【技術分野】
【０００１】
本発明は、瓦棒屋根におけるソーラーパネル設置用の基礎装置に関するものである。
【背景技術】
【０００２】
近年、ソーラーパネルの瓦棒屋根への設置も普及しつつあるところ、本発明者は長年屋根における雪止め取付具を開発実施していることに鑑み、その技術をソーラーパネルの取付けにおいて応用せんとして開発している。
【０００３】
瓦棒屋根へのパネル架台の設置のための課題は、第１に屋根板に螺子取付け用の貫通孔が必要になること、第２に強風が軒先から棟上に向って、または逆に棟上から軒先に吹き上げると、瓦棒屋根の芯木部分を折損するおそれがあることにあった。
【０００４】
しかし、このような瓦棒屋根におけるソーラーパネル設置用の対策として特に開発された技術は存せず、別構造の屋根用に次のような文献が公知となっている。
【先行技術文献】
【特許文献】
【０００５】
【特許文献１】特許第３２９９８７７号公報
【特許文献２】特許第３７９６６４０号公報
【特許文献３】特許第３８６９２９２号公報
【特許文献４】特許第３８９４９３１号公報
【発明の概要】
【発明が解決しようとする課題】
【０００６】
そこで、本発明は、今日、工場等の屋根構造として普及している瓦棒屋根において、ソーラーパネルを設置施工するための基礎装置を比較的経済的に提供することを目的とするものである。
【課題を解決するための手段】
【０００７】
本発明は、正面視，中央の小凸起部，左右両側の小凹部及びその左右両外側の大凸起部から成る適当長さの基板の左右両大凸起部の中央部に切欠部を設け、前記基板の中央小凸起部の中央部に支持板を突設し、正面冂形に成る取付枠材の平面部の前後両側部に設けた曲折片の中央部に設けた凹孔に前記支持板の上端部を係合し、前記取付枠材の左右両側部の前後各端部に外側方に曲折突設した開拡部を前記基板の左右側大凸起部に当接するようにし、前記取付枠材の左右両側部下端部に形成した弯形部を前記基板の左右側大凸起部に設けた切欠部に配置するようにし、前記取付枠材の左右両側部間に螺子を懸架して螺装し、前記取付枠材の平面部中央に頭部を前記支持板上に当接して挿通する雄螺子をソーラーパネル用架設枠材の適所に連結して成るものである。
【発明の効果】
【０００８】
第１に、瓦棒屋根面にソーラーパネルを設置する場合には、屋根面に取付け用の螺子や釘などを使用せず穴開き状態を全く作ることがないから、雨水による雨漏りや結露の原因を一切排除することができる。
【０００９】
第２に、本体は瓦棒体に耐圧性を保持して強固に確実に取付くものであるから、強風が軒先から棟上に向って吹いても、棟上から軒先に向って吹いても、その吹き上げ力によって発生する瓦棒の芯木部分の欠損や損傷は起ることはなく、常に安全な状態に保持して固定することができる。
【図面の簡単な説明】
【００１０】
【図１】全体の斜視図
【図２】全体の正面図
【図３】全体の一部切欠側面図
【図４】全体の平面図
【図５】全体の底面図
【図６】施工状態を例示した斜視図
【発明を実施するための形態】
【００１１】
本発明は、ソーラーパネルを瓦棒屋根面に設置する場合の基礎装置であるから、まず瓦棒体上の所望位置に基板を配置する。この時すでに基板の中央部には、取付枠材が螺子を介して取付け懸架しているが、基板の中央部に立設した支持板が取付枠材の前後曲折片の凹孔に係合して直立状態に位置しているし、ソーラーパネルの架設部材と連結するための雄螺子が頭部を前記支持板上に置いて取付枠材の平面部中央に突出しているから、この雄螺子を架設部材の通孔に挿通し、この任意位置で雌螺子で緊締することによって、架設部材の取付けは終了することになる。
【実施例】
【００１２】
１は瓦棒体上に取付く適当長さの基板で、この基板は正面視，中央の小凸起部２，この左右両側の小凹部３，３及びその左右両外側の大凸起部４，４から成り、この両左右大凸起部の中央には切欠部５，５を設けている。
【００１３】
６は前記基板１の中央小凸起部２の中央部に突設した支持板で、後記取付枠材８の中心部に嵌合する支持部材となる。
【００１４】
７は前記支持板６の上辺部の中央に設けた凹部で、この凹部には後記雄螺子１５の頭部１５’が嵌合するようになる。
【００１５】
８は正面冂形に成る取付枠材で、この取付枠材の平面部８’の前後両側部には曲折片９，９を設け、この曲折片の中央部に設けた凹孔１０，１０には前記支持板６の上端部が係合するようになる。
【００１６】
１１，１１，１１，１１は前記取付枠材８の左右両側部の前後端部に外側方に曲折突設した開拡部で、この開拡部は前記基板１の左右両側の大凸起部４，４上に当接するようになる。
【００１７】
１２，１２は前記取付枠材８の左右両側部の下端部に形成した内側方への弯形部で、この弯形部は前記基板１の左右両外側大凸起部４，４の切欠部５，５に配置されるようになる。
【００１８】
１３は前記取付枠材８の左右両側部間に懸架した雄螺子で、取付枠材を瓦棒屋根の所定位置に取付け緊締するために雌螺子１４を螺装する。
【００１９】
１５は前記取付枠材８の平面部８’中央に設けた通孔１６に上向きに挿通する雄螺子で、この雄螺子の頭部１５’は前記支持板６の中央凹部７内に位置するようになり、これを上方から雌螺子１７で螺装して固定するが、この雌螺子はソーラーパネル用の架設部材ａ，ｂに連結するための部材となる。
【符号の説明】
【００２０】
１                        基板
２                        小凸起部
３，３                    小凹部
４，４                    大凸起部
５，５                    切欠部
６                        支持板
７                        凹部
８                        取付枠材
８’                      平面部
９，９                    曲折片
１０，１０                凹孔
１１，１１，１１，１１    開拡部
１２，１２                弯形部
１３                      雄螺子
１４                      雌螺子
１５                      雄螺子
１５’                    頭部
１６                      通孔
１７                      雌螺子
【図１】
2012127080.tif 000003
【図２】
2012127080.tif 000004
【図３】
2012127080.tif 000005
【図４】
2012127080.tif 000006
【図５】
2012127080.tif 000007
【図６】
2012127080.tif 000008